Podtech/llm-jp-corpus-v4-ja_patent huggingface dataset:
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
画素電極と、該画素電極と電気的に接続される少なくとも一つの第１のトランジスタを含む画素が複数個配列されている画素領域と、
前記画素領域の外側に隣接し、該画素領域の各画素に含まれる前記第１のトランジスタに信号を供給する少なくとも一つの第２のトランジスタを含む駆動回路領域と、が形成された第１の基板と、
前記第１の基板と対向するように設けられた第２の基板と、前記第１の基板と前記第２の基板間に挟持された液晶層と、を有し、
前記第１のトランジスタ及び前記第２のトランジスタ上に無機絶縁材料で形成された第１の層間絶縁膜と、
前記第１の層間絶縁膜上に有機絶縁材料で形成された第２の層間絶縁膜と、
前記第２の層間絶縁膜上に無機絶縁材料で形成された第３の層間絶縁膜と、を有し、
前記第３の層間絶縁膜は、前記画素領域上の一部に設けられ、該第３の層間絶縁膜の端部が前記駆動回路領域よりも内側に形成され、
前記画素電極上に設けられた第１の配向膜と、
前記第１の配向膜上に形成された前記液晶層と、
前記液晶層上に設けられた第２の配向膜と、
前記第２の配向膜上に設けられた対向電極と、
前記対向電極上に設けられた有機保護絶縁膜と、
前記有機保護絶縁膜上に設けられた有色膜及び遮光膜と、
前記有色膜及び前記遮光膜上に設けられた前記第２の基板と、を有する
ことを特徴とする表示装置。
【請求項２】
画素電極と、該画素電極と電気的に接続される少なくとも一つの第１のトランジスタを含む画素が複数個配列されている画素領域と、
前記画素領域の外側に隣接し、該画素領域の各画素に含まれる前記第１のトランジスタに信号を供給する少なくとも一つの第２のトランジスタを含む駆動回路領域と、が形成された第１の基板と、
前記第１の基板と対向するように設けられた第２の基板と、前記第１の基板と前記第２の基板間に挟持された発光層と、を有し、
前記第１のトランジスタ及び前記第２のトランジスタ上に無機絶縁材料で形成された第１の層間絶縁膜と、
前記第１の層間絶縁膜上に有機絶縁材料で形成された第２の層間絶縁膜と、
前記第２の層間絶縁膜上に無機絶縁材料で形成された第３の層間絶縁膜と、を有し、
前記第３の層間絶縁膜は、前記画素領域上の一部に設けられ、該第３の層間絶縁膜の端部が前記駆動回路領域よりも内側に形成される
ことを特徴とする表示装置。
【請求項３】
請求項２において、
前記画素電極上に設けられた前記発光層と、
前記発光層上に設けられた電極と、を有する
ことを特徴とする表示装置。
【請求項４】
請求項１または請求項２において、
前記第３の層間絶縁膜は、窒化シリコン膜、窒化酸化シリコン膜、酸化アルミニウム膜の中から選ばれたいずれか一つである
ことを特徴とする表示装置。
【請求項５】
請求項１または請求項２において、
前記第１のトランジスタ及び前記第２のトランジスタは、チャネル形成領域を形成する半導体材料が酸化物半導体である
ことを特徴とする表示装置。
【請求項６】
請求項５において、
前記第１のトランジスタ及び前記第２のトランジスタは、
ゲート電極と、
前記ゲート電極上に形成された酸化物半導体からなる半導体層と、
前記半導体層上に形成されたソース電極及びドレイン電極と、を有する
ことを特徴とする表示装置。
【請求項７】
請求項１乃至請求項６のいずれか一つに記載する表示装置を有する電子機器。
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
周方向の座標データを獲得するために構造体の曲線形状の縁（４３０）に沿って走行するように動作可能なモータ付き自動デバイス（２００）を備えた装置であって、モータ付き自動デバイス（２００）が、
構造体の曲線形状の縁（４３０）に沿ってモータ付き自動デバイス（２００）を移動させるように動作可能であって、第１ローラ機構と第２ローラ機構を含む移動コンポーネント、
自動デバイス（２００）を曲線形状の縁（４３０）の周りに移動可能に固定するように動作可能なクランピング構造（３５０）であって、クランピング構造（３５０）が第１クランピングアームと、第２クランピングアームと、第１クランピングアームと第２クランピングアームとの間に結合された中間サポートとを含み、第１クランピングアームが第１ローラ機構を構造体の第１の側に接触して動作可能に支持し、第２クランピングアームが第２ローラ機構を構造体の第２の側に接触して動作可能に支持し、第２の側が第１の側の反対であり、中間サポートが構造体の曲線形状の縁（４３０）に係合し、曲線形状の縁（４３０）が構造体の第１の側と第２の側との間に延在する、クランピング構造（３５０）及び
信号を反射して信号源に戻すように動作可能な反射器（３２０）
を備えている、装置。
【請求項２】
反射器（３２０）がバネ懸架式である、請求項１に記載の装置。
【請求項３】
モータ付き自動デバイス（２００）が反射器（３２０）の移動を可能にするためのスライディングコンポーネントを含む、請求項１に記載の装置。
【請求項４】
移動コンポーネントの第１ローラ機構と第２ローラ機構が複数のホイールを含む、請求項１に記載の装置。
【請求項５】
複数のホイールがモータ付き自動デバイス（２００）の１以上のモータで駆動される１以上の駆動ホイールを含む、請求項４に記載の装置。
【請求項６】
移動コンポーネントが第３ローラ機構をさらに含み、中間サポートが第３ローラ機構を構造体の縁に接触して動作可能に支持する、請求項４に記載の装置。
【請求項７】
モータ付き自動デバイス（２００）の反射器（３２０）を、構造体の曲線状の縁（４３０）に対して特定の位置に位置決めすること、及び
前記特定の位置における周方向の並びのデータを、
モータ付き自動デバイス（２００）が曲線状の縁（４３０）の周りに移動可能にクランプされ巻き付けられて、自動デバイス（２００）の移動が曲線状の縁（４３０）に制限されて、モータ付き自動デバイス（２００）を曲線状の縁（４３０）に沿って移動させることと、
レーザ追跡装置（２１０）を使用して、モータ付き自動デバイス（２００）の移動中に周方向の座標データを獲得することと、
完全な周方向の並びのデータが取得されるまで、モータ付き自動デバイス（２００）の移動及び周方向データの獲得を継続することと
により取得すること
を含む方法。
【請求項８】
レーザ追跡装置（２１０）からの信号送信、及び
レーザ追跡装置（２１０）による、反射器（３２０）からの信号反射の受信
に基づいて周方向座標データを獲得することを含む、請求項７に記載の方法。
【請求項９】
モータ付き自動デバイス（２００）の反射器（３２０）を、他の複数の位置に再位置決めすることと、
前記他の複数の位置の各々において周方向の並びのデータを取得することと
により、複数の追加の周方向の並びのデータをさらに取得することを含む、請求項７に記載の方法。
【請求項１０】
モータ付き自動デバイス（２００）と通信することにより、ユーザ入力をモータ付き自動デバイス（２００）に送信する、及び／又はモータ付き自動デバイス（２００）から情報を取得することを含む、請求項７に記載の方法。
【手続補正２】
【補正対象書類名】図面
【補正対象項目名】図８
【補正方法】変更
【補正の内容】
【図８】
2013217920.tif 000001
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
燃焼器であって、
ａ．  長手方向軸を画成する燃焼室、
ｂ．  前記燃焼室内の一次反応ゾーン、
ｃ．  前記燃焼室内の前記一次反応ゾーンの下流にある二次反応ゾーン、
ｄ．  前記燃焼室内に前記二次反応ゾーンまで軸方向に延在する中央燃料ノズル、および
ｅ．  前記一次反応ゾーンから下流の前記中央燃料ノズル内に円周方向に配置される複数の流体噴射器であり、各流体噴射器が前記燃焼室の前記長手方向軸に実質的に垂直な前記中央燃料ノズルから外に向かうさらなる長手方向軸を画成する、複数の流体噴射器
を備える、燃焼器。
【請求項２】
燃焼器であって、
ａ．  複数の燃料ノズル、
ｂ．  前記複数の燃料ノズルの下流にあり、長手方向軸を画成する、燃焼室、
ｃ．  前記燃焼室内の前記複数の燃料ノズルに隣接する一次反応ゾーン、
ｄ．  前記燃焼室内の前記一次反応ゾーンの下流にある二次反応ゾーン、
ｅ．  前記燃焼室内に前記一次反応ゾーンを通って軸方向に延在する中央燃料ノズル、および
ｆ．  前記一次反応ゾーンから下流の前記中央燃料ノズル内に円周方向に配置される複数の流体噴射器であり、各流体噴射器が前記燃焼室の前記長手方向軸に実質的に垂直な前記中央燃料ノズルから外に向かうさらなる長手方向軸を画成する、複数の流体噴射器
を備える、燃焼器。
【請求項３】
ａ．  前記中央燃料ノズル内に軸方向に延在する第１の燃料路、
ｂ．  前記第１の燃料路に連結される気体燃料供給源、および
ｃ．  前記第１の燃料路と前記中央燃料ノズル内の前記流体噴射器の１つまたは複数との間に流体連通をもたらす複数の燃料ポート
をさらに備える、請求項１または２に記載の燃焼器。
【請求項４】
前記第１の燃料路の少なくとも一部が、前記流体噴射器の１つまたは複数を円周方向に囲繞する、請求項３記載の燃焼器。
【請求項５】
ａ．  前記中央燃料ノズル内に軸方向に延在する第２の燃料路、
ｂ．  前記第２の燃料路に連結される液体燃料供給源、および
ｃ．  前記第２の燃料路と前記中央燃料ノズル内の前記流体噴射器の１つまたは複数との間に流体連通をもたらす複数の液体燃料ポート
をさらに備える、請求項３または４に記載の燃焼器。
【請求項６】
燃焼器であって、
ａ．  前記燃焼器の少なくとも一部にわたって径方向に延在するエンドカバー、
ｂ．  前記エンドカバーにおいて径方向に配置される複数の燃料ノズル、
ｃ．  前記エンドカバーの下流にあり、長手方向軸を画成する、燃焼室、
ｄ．  前記燃焼室内の前記燃料ノズルに隣接する一次反応ゾーンであり、少なくとも１つの燃料ノズルが前記燃焼室内に前記一次反応ゾーンから下流に軸方向に延在する、一次反応ゾーン、および
ｅ．  前記一次反応ゾーンの下流の前記少なくとも１つの燃料ノズル内に円周方向に配置される複数の流体噴射器であり、各流体噴射器が前記燃焼室の前記長手方向軸に実質的に垂直な前記少なくとも１つの燃料ノズルから外に向かうさらなる長手方向軸を画成する、複数の流体噴射器
を備える、燃焼器。
【請求項７】
前記少なくとも１つの燃料ノズル内に軸方向に延在し、液体燃料が前記流体噴射器の１つまたは複数に流入するように流体連通をもたらす、液体燃料路をさらに備える、請求項６記載の燃焼器。
【請求項８】
前記少なくとも１つの燃料ノズル内に軸方向に延在し、気体燃料が前記流体噴射器の１つまたは複数に流入するように流体連通をもたらす、気体燃料路をさらに備え、
前記気体燃料路の少なくとも一部が、前記流体噴射器の１つまたは複数を円周方向に囲繞する、請求項７記載の燃焼器。
【請求項９】
ａ．  前記燃焼室の少なくとも一部を円周方向に囲繞するケーシング、
ｂ．前記ケーシングと前記燃焼室との間にある流れスリーブであり、前記燃焼室と前記流れスリーブとの間の内側環状路および前記流れスリーブと前記ケーシングとの間の外側環状路を画成する、流れスリーブ、ならびに
ｃ．前記中央燃料ノズル内に軸方向に延在し、前記内側環状路と前記中央燃料ノズル内の前記流体噴射器の１つまたは複数との間に流体連通をもたらす、第１の流体路
をさらに備える、請求項１乃至８のいずれかに記載の燃焼器。
【請求項１０】
前記中央燃料ノズルの下流面と、前記中央燃料ノズル内の前記第１の流体路と流体連通している前記下流面を貫通する複数の流体ポートとをさらに備える、請求項９記載の燃焼器。
【請求項１１】
前記中央燃料ノズル内に軸方向に延在し、前記外側環状路と前記中央燃料ノズルの前記流体噴射器の１つまたは複数との間に流体連通をもたらす、第２の流体路をさらに備える、請求項９または１０に記載の燃焼器。
【請求項１２】
前記少なくとも１つの燃料ノズル内に軸方向に延在し、前記内側環状路と前記少なくとも１つの燃料ノズル内の前記流体噴射器の１つまたは複数との間に流体連通をもたらす、第２の流体路をさらに備える、請求項９乃至１１のいずれかに記載の燃焼器。
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
ガスタービンエンジンにおける燃料漏れを検出する方法であって、
燃料マニホルド内に圧力センサを配置するステップと、
所望の燃料流量と一致するように制御バルブを調整するステップであって、制御バルブを調整するステップが、制御バルブの下流の燃料マニホルド内の実燃料流量及び圧力を調整することを含むステップと、
燃料マニホルド内の圧力及び１以上のガスタービンエンジンパラメータに少なくとも部分的に基づいて燃料マニホルド下流の実燃料流量を求めるステップと、
所望の燃料流量を実燃料流量と比較するステップと、
燃料漏れを示す、所望の燃料流量と実燃料流量との差を求めるステップと
を含む、方法。
【請求項２】
前記差に少なくとも部分的に基づいて、少なくとも１つの是正措置を開始するステップをさらに含む、請求項１記載の方法。
【請求項３】
少なくとも１つの是正措置が、１以上の燃料回路スプリットの修正、１以上の動作条件の修正、又は１以上の燃料回路のシャットダウンのうちの少なくとも１つを含む、請求項２記載の方法。
【請求項４】
１以上のガスタービンエンジンパラメータが、１以上の既知のパラメータ又は１以上の算出パラメータのうちの少なくとも１つを含む、請求項１乃至請求項３のいずれか１項記載の方法。
【請求項５】
１以上の既知のパラメータが、既知の燃料組成又は既知の燃料回路有効面積のうちの少なくとも１つを含む、請求項４記載の方法。
【請求項６】
１以上の算出パラメータが、算出下流側圧力又は算出燃料温度のうちの少なくとも１つを含む、請求項４記載の方法。
【請求項７】
所望の燃料流量と実燃料流量との差を求めるステップが、予め定義された偏差に少なくとも部分的に基づく、請求項１乃至請求項６のいずれか１項記載の方法。
【請求項８】
ガスタービンエンジンにおける燃料漏れを検出するシステムであって、
燃料マニホルドの上流に配置された制御バルブと、
燃料マニホルド内に配置された圧力センサと、
コントローラと
を備えており、コントローラが、
コンピュータ実行可能命令を記憶する少なくとも１つのメモリと、
少なくとも１つのメモリにアクセスよう構成された少なくとも１つのプロセッサと
を含み、少なくとも１つのプロセッサが、コンピュータ実行可能命令を実行して、
所望の燃料流量と一致するように制御バルブを調整し、それに伴って制御バルブの下流の燃料マニホルド内の実燃料流量及び圧力を調整し、
燃料マニホルド内の圧力及び１以上のガスタービンエンジンパラメータに少なくとも部分的に基づいて燃料マニホルド下流の実燃料流量を求め、
所望の燃料流量を実燃料流量と比較し、
燃料漏れを示す、所望の燃料流量と実燃料流量との差を求める
ように構成されている、システム。
【請求項９】
少なくとも１つのプロセッサがさらに、コンピュータ実行可能命令を実行して、少なくとも１つの是正措置を開始するよう構成されている、請求項８記載のシステム。
【請求項１０】
是正措置が、１以上の燃料回路スプリットの修正、１以上の動作条件の修正、又は１以上の燃料回路のシャットダウンのうちの少なくとも１つを含む、請求項９記載のシステム。
【請求項１１】
１以上のガスタービンエンジンパラメータが、１以上の既知のパラメータ又は１以上の算出パラメータのうちの少なくとも１つを含む、請求項８乃至請求項１０のいずれか１項記載のシステム。
【請求項１２】
１以上の既知のパラメータが、既知の燃料組成又は既知の燃料回路有効面積のうちの少なくとも１つを含む、請求項１１記載のシステム。
【請求項１３】
１以上の算出パラメータが、算出下流側圧力又は算出燃料温度のうちの少なくとも１つを含む、請求項１１記載のシステム。
【請求項１４】
所望の燃料流量と実燃料流量との差を求めることが、予め定義された偏差に少なくとも部分的に基づく、請求項８記載のシステム。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
外側タービンケーシングと、内側タービンケーシングと、前記内側及び外側タービンケーシング間に定められたプレナムとを含む、ガスタービンのクリアランス制御に適合されたシステムであって、
前記プレナム内に配置され、複数のインピンジメント孔を定めるイピンジメントボックスであって、イピンジメントボックスの対向する側面の軸方向における間に規定される前記内側タービンケーシングの軸部分とイピンジメントボックスとの間に流れダクトが規定されるように前記内側タービンケーシングから半径方向外側に離れて配置されたイピンジメントボックスと、
前記イピンジメントボックスの内部と流れ連通した第１の導管と、
前記イピンジメントボックスの外部の位置にて前記プレナムと流れ連通した第２の導管と、
を備え、
流体が前記第２の導管を通って前記プレナムに供給されたときに、前記流体が前記イピンジメントボックスの外部の周りに流れて、前記イピンジメントボックスと前記内側タービンケーシングとの間に定められる流れダクトを通る、
クリアランス制御システム。
【請求項２】
前記第１及び第２の導管に加圧流体源から流体が供給される、請求項１に記載のクリアランス制御システム。
【請求項３】
前記加圧流体源と流れ連通し、前記第１の導管及び前記第２の導管の両方への供給流体を制御するよう構成されたバルブを更に備える、請求項２に記載のクリアランス制御システム。
【請求項４】
前記バルブが、前記第１の導管と前記第２の導管との間で前記加圧流体源からの流体の流れを自動的に切り替えるよう構成されている、請求項３に記載のクリアランス制御システム。
【請求項５】
前記加圧流体源が、前記ガスタービンの圧縮機を含む、請求項２乃至４のいずれかに記載のクリアランス制御システム。
【請求項６】
前記第１の導管を通って供給される流体流れを冷却するよう構成された熱交換器を更に備える、請求項１乃至５のいずれかに記載のクリアランス制御システム。
【請求項７】
流体が前記第１の導管を通って前記イピンジメントボックスに供給されたときに、前記流体が前記複数のインピンジメント孔を通って流れて前記内側タービンケーシング上に衝突する、請求項１乃至６のいずれかに記載のクリアランス制御システム。
【請求項８】
ガスタービンであって、
外側タービンケーシングと、
プレナムが前記外側タービンケーシングとの間で定められるように、前記外側タービンケーシングから離間して配置される内側タービンケーシングと、
前記内側及び外側タービンケーシング間に配置され且つ複数のインピンジメント孔を定めるイピンジメントボックスであって、イピンジメントボックスの対向する側面の軸方向における間に規定される前記内側タービンケーシングの軸部分とイピンジメントボックスとの間に流れダクトが規定されるように前記内側タービンケーシングから半径方向外側に離れて配置されたイピンジメントボックスと、
前記イピンジメントボックスの内部の位置にて前記プレナム内に流体を供給するよう構成された第１の導管と、
前記イピンジメントボックスの外部の位置にて前記プレナム内に流体を供給するよう構成された第２の導管と、
を備え、
流体が前記第２の導管を通って前記プレナムに供給されたときに、前記流体が前記イピンジメントボックスの外部の周りに流れて、前記イピンジメントボックスと前記内側タービンケーシングとの間に定められる流れダクトを通る、
ガスタービン。
【請求項９】
請求項１乃至７のいずれかに記載のクリアランス制御システムを備える、ガスタービン。
【請求項１０】
内側タービンケーシング及び外側タービンケーシングを含むガスタービン内のクリアランスを制御する方法であって、
前記流体を加圧流体源から第１の導管に配向して、前記流体が前記内側及び外側タービンケーシング間に配置されたイピンジメントボックスであって、イピンジメントボックスの対向する側面の軸方向における間に規定される前記内側タービンケーシングの軸部分とイピンジメントボックスとの間に流れダクトが規定されるように前記内側タービンケーシングから半径方向外側に離れて配置されたイピンジメントボックスに流れるようにするステップと、
前記内側及び外側タービンケーシング間に定められたプレナムと流れ連通した第２の導管を通して前記流体を再配向し、前記流体が前記イピンジメントボックスの対向する側面の外部の周りに、前記内側タービンケーシングの軸部分に沿って規定される流ダクトを通って流れるようにするステップと、
を含む、方法。
【請求項１１】
前記第１の導管を通って配向される流体を冷却するステップを更に含む、請求項１０に記載の方法。
【請求項１２】
前記内側及び外側タービンケーシング間に定められたプレナムと流れ連通した第２の導管を通して前記流体を再配向し、前記流体が前記イピンジメントボックスの外部の周りに流れるようにするステップが、前記第１及び第２の導管に結合されたバルブを通して前記流体の流れを変更するステップを含む、請求項１０または１１に記載の方法。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
顔画像の色情報から健康状態を診断するための診断支援システムであって、
人物の過去顔画像を撮影時の健康状態に対応付けて履歴顔画像として記憶する記憶部と、
前記人物の現在顔画像を受信する受信部と、
前記受信部にて受信した現在顔画像と前記履歴顔画像を表示部に表示させる表示制御部と、
前記現在顔画像における顔色判定領域を決定するとともに、当該顔色判定領域に対応する前記履歴顔画像における対応領域を算出する顔色判定領域算出部と、
前記顔色判定領域と前記対応領域との色情報の差を求める色差算出部とを有し、
前記表示制御部は、前記現在顔画像および前記履歴顔画像とともに前記色情報の差と当該履歴顔画像に対応する前記健康状態を前記表示部に表示させることを特徴とした診断支援システム。
【請求項２】
前記表示制御部は、前記現在顔画像上に前記顔色判定領域を表示させるとともに前記履歴顔画像上に前記対応領域を表示させる請求項１に記載の診断支援システム。
【請求項３】
前記記憶部は、互いに異なる時点にて撮影された前記履歴顔画像を複数記憶し、
前記表示制御部は、前記履歴顔画像ごとの前記色情報の差を時系列に表すグラフを表示する請求項１または請求項２に記載の診断支援システム。
【請求項４】
前記表示制御部は、前記グラフ上にて前記色情報の差が指定されると、当該色情報の差を求めるために用いられた履歴顔画像と当該色情報の差に表示を更新する請求項３に記載の診断支援システム。
【請求項５】
更に、顔の３次元形状に前記履歴顔画像を合成して３次元顔画像を生成する３次元顔画像合成部と、前記３次元顔画像の顔向きを指定する顔向き指定手段を備え、
前記表示制御部は、前記指定された顔向きの前記３次元顔画像を２次元化して表示することを特徴とした請求項１に記載の診断支援システム。
【請求項６】
更に、前記現在顔画像上にて前記顔色判定領域を指定する領域指定手段と、前記現在顔画像および前記履歴顔画像の特徴点位置を抽出する特徴点抽出部を備え、
前記顔色判定領域算出部は、前記現在顔画像における特徴点位置と前記指定された顔色判定領域との位置関係を算出し、前記履歴顔画像における特徴点位置を用いて当該位置関係から前記対応領域を特定する請求項１〜５の何れか一項に記載の診断支援システム。
【請求項７】
前記記憶部は、前記人物の顔における特徴点間の実寸法を予め記憶し、
前記現在顔画像および／または前記履歴顔画像の特徴点位置を抽出する特徴点抽出部を備え、
前記表示制御部は、前記表示部に表示される前記現在顔画像および／または前記履歴顔画像の特徴点位置間の画面上の距離が前記記憶部に記憶した実寸法となるように表示することを特徴とした請求項１〜５の何れか一項に記載の診断支援システム。
【手続補正２】
【補正対象書類名】明細書
【補正対象項目名】０００７
【補正方法】変更
【補正の内容】
【０００７】
本発明は、かかる目的を達成するために、人物の過去顔画像を撮影時の健康状態に対応付けて履歴顔画像として記憶する記憶部と、人物の現在顔画像を受信する受信部と、受信部にて受信した現在顔画像と履歴顔画像を表示部に表示させる表示制御部と、現在顔画像における顔色判定領域を決定するとともに、当該顔色判定領域に対応する履歴顔画像における対応領域を算出する顔色判定領域算出部と、顔色判定領域と対応領域との色情報の差を求める色差算出部とを有し、表示制御部は、現在顔画像および履歴顔画像とともに色情報の差と当該履歴顔画像に対応する健康状態を表示部に表示させることを特徴とした診断支援システムを提供する。
【手続補正３】
【補正対象書類名】明細書
【補正対象項目名】０００９
【補正方法】変更
【補正の内容】
【０００９】
さらに、表示制御部は、現在顔画像上に顔色判定領域を表示させるとともに履歴顔画像上に対応領域を表示させることが好適である。
【手続補正４】
【補正対象書類名】明細書
【補正対象項目名】００１１
【補正方法】変更
【補正の内容】
【００１１】
さらに、現在顔画像上にて顔色判定領域を指定する領域指定手段と、現在顔画像および履歴顔画像の特徴点位置を抽出する特徴点抽出部を備え、顔色判定領域算出部は、現在顔画像における特徴点位置と指定された顔色判定領域との位置関係を算出し、履歴顔画像における特徴点位置を用いて当該位置関係から対応領域を特定することが好適である。
【手続補正５】
【補正対象書類名】明細書
【補正対象項目名】００１７
【補正方法】変更
【補正の内容】
【００１７】
また、記憶部は、人物の顔における特徴点間の実寸法を予め記憶し、現在顔画像および／または履歴顔画像の特徴点位置を抽出する特徴点抽出部を備え、表示制御部は、表示部に表示される現在顔画像および／または履歴顔画像の特徴点位置間の画面上の距離が記憶部に記憶した実寸法となるように表示することが好適である。
【手続補正６】
【補正対象書類名】明細書
【補正対象項目名】００１９
【補正方法】変更
【補正の内容】
【００１９】
また、顔の３次元形状に履歴顔画像を合成して３次元顔画像を生成する３次元顔画像合成部と、３次元顔画像の顔向きを指定する顔向き指定手段を備え、表示制御部は、指定された顔向きの３次元顔画像を２次元化して表示することが好適である。
【手続補正書】
【提出日】平成27年12月22日(2015.12.22)
【手続補正１】
【補正対象書類名】特許請求の範囲
【補正対象項目名】請求項１
【補正方法】変更
【補正の内容】
【請求項１】
遊技中に抽選契機が発生すると、所定の抽選を実行する抽選実行手段と、
前記所定の抽選が実行されると、これを契機として図柄を所定の変動時間にわたって変動表示させた後に前記所定の抽選の抽選結果を表す態様で前記図柄を停止表示させる図柄表示手段と、
前記抽選実行手段による所定の抽選の結果に基づいて所定の演出を実行する演出実行手段と、
少なくとも光の三原色に対応する複数の基本発光体が内蔵されたランプと、
前記ランプの点灯パターンについて、特殊点灯パターンを含む複数種類の点灯パターンを予め規定する点灯パターン規定手段と、
前記点灯パターン規定手段に規定されている点灯パターンに基づいて、前記所定の演出の実行中に前記ランプを点灯制御することによりランプ演出を実行するランプ演出実行手段と、
前記特殊点灯パターンについて、第１番目に用いる点灯パターンとして前記複数の基本発光体を全て点灯させる全点灯パターン若しくは前記複数の基本発光体を全て消灯させる全消灯パターンを規定しており、第２番目に用いる点灯パターンとして前記第１番目に用いる点灯パターンが前記全点灯パターンである場合には前記全消灯パターンを規定し前記第１番目に用いる点灯パターンが前記全消灯パターンである場合には前記全点灯パターンを規定しており、第３番目に用いる点灯パターンとして前記ランプを所定の目的色で点灯させる目的色点灯パターンを規定しており、第４番目に用いる点灯パターンとして前記全点灯パターン若しくは前記全消灯パターンを規定しており、第５番目に用いる点灯パターンとして前記ランプの点灯色を前記所定の目的色に段階的に導くための色であって前記所定の目的色の輝度及び色彩のうち少なくとも一方を変化させた段階変化色で点灯させる段階変化色点灯パターンを規定しており、第５番目以降のいずれかのタイミング以降に用いる点灯パターンとして前記目的色点灯パターンを規定している特殊点灯パターン規定手段と
を備える遊技機。
【手続補正２】
【補正対象書類名】特許請求の範囲
【補正対象項目名】請求項２
【補正方法】変更
【補正の内容】
【請求項２】
請求項１に記載の遊技機において、
前記特殊点灯パターン規定手段は、
前記第５番目に用いる前記段階変化色点灯パターンを複数種類規定しており、
前記第５番目以降に用いる前記目的色点灯パターンを、前記複数種類の段階変化色点灯パターンの次に用いる点灯パターンとして規定していることを特徴とする遊技機。
【手続補正３】
【補正対象書類名】明細書
【補正対象項目名】００１７
【補正方法】変更
【補正の内容】
【００１７】
本発明は、上記の課題を解決するため以下の解決手段を採用する。なお、以下の括弧書中の文言はあくまで例示であり、本発明はこれに限定されるものではない。
解決手段１：本解決手段の遊技機は、遊技中に抽選契機が発生すると、所定の抽選を実行する抽選実行手段と、前記所定の抽選が実行されると、これを契機として図柄を所定の変動時間にわたって変動表示させた後に前記所定の抽選の抽選結果を表す態様で前記図柄を停止表示させる図柄表示手段と、前記抽選実行手段による所定の抽選の結果に基づいて所定の演出を実行する演出実行手段と、少なくとも光の三原色に対応する複数の基本発光体が内蔵されたランプと、前記ランプの点灯パターンについて、特殊点灯パターンを含む複数種類の点灯パターンを予め規定する点灯パターン規定手段と、前記点灯パターン規定手段に規定されている点灯パターンに基づいて、前記所定の演出の実行中に前記ランプを点灯制御することによりランプ演出を実行するランプ演出実行手段と、前記特殊点灯パターンについて、第１番目に用いる点灯パターンとして前記複数の基本発光体を全て点灯させる全点灯パターン若しくは前記複数の基本発光体を全て消灯させる全消灯パターンを規定しており、第２番目に用いる点灯パターンとして前記第１番目に用いる点灯パターンが前記全点灯パターンである場合には前記全消灯パターンを規定し前記第１番目に用いる点灯パターンが前記全消灯パターンである場合には前記全点灯パターンを規定しており、第３番目に用いる点灯パターンとして前記ランプを所定の目的色で点灯させる目的色点灯パターンを規定しており、第４番目に用いる点灯パターンとして前記全点灯パターン若しくは前記全消灯パターンを規定しており、第５番目に用いる点灯パターンとして前記ランプの点灯色を前記所定の目的色に段階的に導くための色であって前記所定の目的色の輝度及び色彩のうち少なくとも一方を変化させた段階変化色で点灯させる段階変化色点灯パターンを規定しており、第５番目以降のいずれかのタイミング以降に用いる点灯パターンとして前記目的色点灯パターンを規定している特殊点灯パターン規定手段とを備える遊技機である。
【手続補正４】
【補正対象書類名】明細書
【補正対象項目名】００２９
【補正方法】変更
【補正の内容】
【００２９】
（７−６）第５番目以降のいずれかのタイミング以降（８フレーム目以降）に用いる点灯パターンとして目的色点灯パターンが規定されている。
【手続補正５】
【補正対象書類名】明細書
【補正対象項目名】００３７
【補正方法】変更
【補正の内容】
【００３７】
解決手段２：本解決手段の遊技機は、解決手段１において、前記特殊点灯パターン規定手段は、前記第５番目に用いる前記段階変化色点灯パターンを複数種類規定しており、前記第５番目以降に用いる前記目的色点灯パターンを、前記複数種類の段階変化色点灯パターンの次に用いる点灯パターンとして規定していることを特徴とする遊技機である。
【手続補正６】
【補正対象書類名】明細書
【補正対象項目名】００３８
【補正方法】変更
【補正の内容】
【００３８】
本解決手段の遊技機には、以下の特徴が追加される。
（１）第５番目に用いる段階変化色点灯パターンは、複数種類規定されている。複数種類の段階変化色は、例えば複数の期間（５フレーム目、６フレーム目、７フレーム目）にわって用いられる。また、複数種類の段階変化色は、段階的に目的色（赤色）に近付く色（紫色→薄赤紫色→濃赤紫色）とすることが好ましい。
（２）第５番目以降に用いる目的色点灯パターンは、上記（１）の複数種類の段階変化色点灯パターン（５フレーム目、６フレーム目、７フレーム目）の次（８フレーム目）に用いる点灯パターンとして規定されている。
【手続補正書】
【提出日】平成28年5月13日(2016.5.13)
【手続補正１】
【補正対象書類名】明細書
【補正対象項目名】発明の名称
【補正方法】変更
【補正の内容】
【発明の名称】スロットマシン
【手続補正２】
【補正対象書類名】明細書
【補正対象項目名】０００１
【補正方法】変更
【補正の内容】
【０００１】
本発明は、遊技に応じた演出を行う第１表示手段と、賭数を設定後の開始操作に基づき複数のリールの変動表示を伴うゲームを実行し、停止操作に基づき該複数のリールの変動表示を停止させた結果として予め定められた特別役に対応した図柄組合せ態様が導出されると複数の遊技状態のうちの特別遊技状態を発生させる制御を実行可能な遊技制御手段とを備えたスロットマシンに関する。
【手続補正３】
【補正対象書類名】明細書
【補正対象項目名】０００２
【補正方法】変更
【補正の内容】
【０００２】
所定数の遊技媒体を投入して複数種類の図柄を表示した複数のリールを回転させ、遊技者の停止操作に基づき対応するリールを停止させて停止態様に応じた遊技媒体を払い出すスロットマシンが知られている。このようなスロットマシンにおいて、表示装置にて遊技媒体の獲得に関して遊技者が有利となるようなリールの停止順を報知することや、遊技状態及び当選役に対応した動画像を表示可能なスロットマシンが知られている。
【手続補正４】
【補正対象書類名】明細書
【補正対象項目名】０００３
【補正方法】変更
【補正の内容】
【０００３】
【特許文献１】特開２０１２−１４３２５７号公報
【手続補正５】
【補正対象書類名】明細書
【補正対象項目名】０００４
【補正方法】変更
【補正の内容】
【０００４】
しかしながらこのようなスロットマシンでは、表示装置において動的な背景の表示や演出が実行されていると、どの役に当選しているのか、どの遊技状態であるかを報知しにくいという問題がある。
【手続補正６】
【補正対象書類名】明細書
【補正対象項目名】０００５
【補正方法】変更
【補正の内容】
【０００５】
本発明の目的は、当選役や遊技状態を報知可能とすることである。
【手続補正７】
【補正対象書類名】明細書
【補正対象項目名】０００６
【補正方法】変更
【補正の内容】
【０００６】
以上の課題を解決するため、請求項１に記載の発明は、
遊技に応じた演出を行う第１表示手段と、賭数を設定後の開始操作に基づき複数のリールの変動表示を伴うゲームを実行し、停止操作に基づき該複数のリールの変動表示を停止させた結果として予め定められた特別役に対応した図柄組合せ態様が導出されると複数の遊技状態のうちの特別遊技状態を発生させる制御を実行可能な遊技制御手段とを備えたスロットマシンにおいて、
遊技媒体投入口から投入された遊技媒体をスロットマシン内部に取り込む取込状態と遊技者に返却する返却状態とに変換可能な遊技媒体選別部と、
前記賭数を設定したことに基づいて表示される賭数表示部と、
前記第１表示手段とは別に設けられた７セグメント型の第２表示手段と、を備え、
前記遊技制御手段は、
前記複数のリールの停止制御を実行するリール停止制御手段と、
前記ゲーム毎に前記特別役を含む役の内部抽選を実行する抽選手段と、
前記賭数表示部の表示制御を実行する賭数表示制御手段と、
前記遊技媒体選別部の変換制御を実行する変換制御手段と、
前記第２表示手段の表示制御を実行する第２表示制御手段と、を備え、
前記第２表示手段は、
前記抽選手段による抽選の結果に対応する第１表示態様と、前記遊技状態に対応する第２表示態様とを表示可能であり、
前記第１表示態様として、前記複数のリールの全てが停止する前に前記役を示唆する示唆表示を表示可能であることを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】変更
【補正の内容】
【００１３】
本発明によれば、当選役や遊技状態を報知可能となる。
【手続補正１４】
【補正対象書類名】特許請求の範囲
【補正対象項目名】全文
【補正方法】変更
【補正の内容】
【特許請求の範囲】
【請求項１】
遊技に応じた演出を行う第１表示手段と、賭数を設定後の開始操作に基づき複数のリールの変動表示を伴うゲームを実行し、停止操作に基づき該複数のリールの変動表示を停止させた結果として予め定められた特別役に対応した図柄組合せ態様が導出されると複数の遊技状態のうちの特別遊技状態を発生させる制御を実行可能な遊技制御手段とを備えたスロットマシンにおいて、
遊技媒体投入口から投入された遊技媒体をスロットマシン内部に取り込む取込状態と遊技者に返却する返却状態とに変換可能な遊技媒体選別部と、
前記賭数を設定したことに基づいて表示される賭数表示部と、
前記第１表示手段とは別に設けられた７セグメント型の第２表示手段と、を備え、
前記遊技制御手段は、
前記複数のリールの停止制御を実行するリール停止制御手段と、
前記ゲーム毎に前記特別役を含む役の内部抽選を実行する抽選手段と、
前記賭数表示部の表示制御を実行する賭数表示制御手段と、
前記遊技媒体選別部の変換制御を実行する変換制御手段と、
前記第２表示手段の表示制御を実行する第２表示制御手段と、を備え、
前記第２表示手段は、
前記抽選手段による抽選の結果に対応する第１表示態様と、前記遊技状態に対応する第２表示態様とを表示可能であり、
前記第１表示態様として、前記複数のリールの全てが停止する前に前記役を示唆する示唆表示を表示可能であることを特徴とするスロットマシン。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
グリル網の棒を支点として回転するグリル網用アルミニウム箔成形ローラーであって、
３つ以上の円筒から構成されるローラー部と、
前記ローラー部の軸となる芯部と、
を備え、
前記芯部には、前記ローラー部の回転軸と、当該ローラー部を構成する各円筒の中心軸とが非平行にねじれを作るように、傾斜が設けられ、
隣接する前記円筒の間には、溝部が存在し、
グリル網の上にアルミニウム箔を載置した状態で、前記溝部が前記グリル網の棒を支点として移動することにより、前記ローラー部が回転し、
前記円筒が前記アルミニウム箔を巻き込みながら、隣接する前記グリル網の棒の間の凹みにはまることで、前記アルミニウム箔が波状に成形されるグリル網用アルミニウム箔成形ローラー。
【請求項２】
前記溝部が、前記ローラー部の進行方向に存在する別のグリル網の棒へ支点移動し、
移動前のグリル網の棒と移動後のグリル網の棒との間に前記円筒がはまることで、前記アルミニウム箔が波状に成形される請求項１に記載のグリル網用アルミニウム箔成形ローラー。
【手続補正２】
【補正対象書類名】図面
【補正対象項目名】図１
【補正方法】変更
【補正の内容】
【図１】
2014226200.tif 000001
【手続補正書】
【提出日】平成28年2月23日(2016.2.23)
【手続補正１】
【補正対象書類名】明細書
【補正対象項目名】００２７
【補正方法】変更
【補正の内容】
【００２７】
切削工具２１の刃金材種、コーティング、チップ、刃の諸角度の少なくとも１つに関する工具データが入力装置４に入力される。各工具データに対応する各ＭＲ−Ｖ関係が予めＭＲ−Ｖ記憶装置５ａに記憶される。制御装置２が工具データと被削性指数ＭＲから切削速度Ｖを取得する。したがって切削工具２１のタイプに対応した好適な切削速度Ｖが得られる。
【手続補正書】
【提出日】平成28年5月20日(2016.5.20)
【手続補正１】
【補正対象書類名】特許請求の範囲
【補正対象項目名】請求項７
【補正方法】変更
【補正の内容】
【請求項７】
さらに前記母材中に分散するフィラーを有し、前記フィラーが、前記ポリオールと共有結合する顔料であることを特徴とする、請求項２乃至４のいずれか一項に記載のファントム。
【手続補正２】
【補正対象書類名】特許請求の範囲
【補正対象項目名】請求項８
【補正方法】変更
【補正の内容】
【請求項８】
前記ポリオールに対する前記フィラーの分散量が０．１重量％乃至０．５重量％であることを特徴とする、請求項７に記載のファントム。
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
肌処理ヘッド（２）に、温熱生成手段（１３）および冷熱生成手段（１４）と、温熱生成手段（１３）または冷熱生成手段（１４）で生成された熱をまぶたに付与する第１熱供給体（３０）と、冷熱生成手段（１４）または温熱生成手段（１３）で生成された熱をまぶたの周辺の肌面に付与する第２熱供給体（２０）とが設けられていることを特徴とする目元用美容機器。
【請求項２】
第２熱供給体（２０）が、第１熱供給体（３０）の周囲を囲む状態で配置してあり、
第２熱供給体（２０）が、肌面との接触部分の側へ向かって開口するカップ形状に形成してある請求項１に記載の目元用美容機器。
【請求項３】
第２熱供給体（２０）が、ベース壁（２１）と、ベース壁（２１）に連続して形成される湾曲壁（２２）とを備えており、
湾曲壁（２２）が、カップ開口縁へ向かって徐々に拡開するラッパ状に形成してある請求項２に記載の目元用美容機器。
【請求項４】
第１熱供給体（３０）に、まぶたに熱を付与する第１伝熱面（３４）が設けられており、
第１伝熱面（３４）が、第２熱供給体（２０）のカップ開口縁の第２伝熱面（２３）よりカップ内奥側へ凹んだ位置に配置してある請求項２または３に記載の目元用美容機器。
【請求項５】
温熱生成手段（１３）または冷熱生成手段（１４）と第１熱供給体（３０）とが、第１伝熱体（３７）を介して熱移動可能に接続されており、
冷熱生成手段（１４）または温熱生成手段（１３）と第２熱供給体（２０）とが、第２伝熱体（２４）を介して熱移動可能に接続されており、
第１伝熱体（３７）と第２伝熱体（２４）との間にスペーサー（４６）が配置してある請求項１から４のいずれかひとつに記載の目元用美容機器。
【請求項６】
第２熱供給体（２０）のベース壁（２１）に形成した連通開口（２７）に断熱筒壁（４７）が配置されており、
第１伝熱体（３７）が前記断熱筒壁（４７）の内部空間を介して第１熱供給体（３０）に接続してある請求項５に記載の目元用美容機器。
【請求項７】
前記断熱筒壁（４７）が前記スペーサー（４６）と一体に形成してある請求項６に記載の目元用美容機器。
【請求項８】
第１伝熱体（３７）と前記断熱筒壁（４７）との間に、断熱空間（Ｓ）が形成してある請求項６から７のいずれかひとつに記載の目元用美容機器。
【請求項９】
第２熱供給体（２０）の外面に配置したスペーサー（４６）が、第２締結体（４４）で第２熱供給体（２０）に締結固定されており、
第１伝熱体（３７）が、前記断熱筒壁（４７）に挿通される伝熱軸部（３８）と、温熱生成手段（１３）または冷熱生成手段（１４）に接触する第１受熱部（３９）とを一体に備えており、
第１伝熱体（３７）は、その第１受熱部（３９）が位置決めされた状態でスペーサー（４６）に接合されて、伝熱軸部（３８）が前記断熱筒壁（４７）を前後に貫通しており、
伝熱軸部（３８）にねじ込んだ第１締結体（４３）で、第１熱供給体（３０）と第１伝熱体（３７）とを締結固定した状態において、伝熱軸部（３８）と前記断熱筒壁（４７）との間に筒状の断熱空間（Ｓ）が形成してある請求項８に記載の目元用美容機器。
【手続補正書】
【提出日】平成28年5月20日(2016.5.20)
【手続補正１】
【補正対象書類名】明細書
【補正対象項目名】０００７
【補正方法】変更
【補正の内容】
【０００７】
本発明の目的は、インクミストなどの異物が存在する環境下において、吸引されつつ搬送される記録媒体などのシートに対して異物が付着することを抑制することができる搬送装置および記録装置を提供することにある。
【手続補正２】
【補正対象書類名】明細書
【補正対象項目名】０００８
【補正方法】変更
【補正の内容】
【０００８】
本発明の搬送装置は、共通の吸引室に対して個々に連通可能な複数の吸引孔が形成される搬送面を有し、前記吸引室から連通部を通じて前記吸引孔に供給される負圧によってシートを吸引しつつ、前記シートを搬送する搬送装置であって、前記吸引室の内部に前記連通部を塞ぐように設けられ、空気の通過を許容しかつ空気中の異物を捕集する捕集部材を有することを特徴とする。
【手続補正３】
【補正対象書類名】明細書
【補正対象項目名】０００９
【補正方法】変更
【補正の内容】
【０００９】
本発明によれば、インクミストなどの異物が存在する環境下において、記録媒体などのシートに対して異物が付着することを抑制することができる。
【手続補正４】
【補正対象書類名】特許請求の範囲
【補正対象項目名】全文
【補正方法】変更
【補正の内容】
【特許請求の範囲】
【請求項１】
共通の吸引室に対して個々に連通可能な複数の吸引孔が形成される搬送面を有し、前記吸引室から連通部を通じて前記吸引孔に供給される負圧によってシートを吸引しつつ、前記シートを搬送する搬送装置であって、
前記吸引室の内部に前記連通部を塞ぐように設けられ、空気の通過を許容しかつ空気中の異物を捕集する捕集部材を有することを特徴とする搬送装置。
【請求項２】
前記捕集部材は、前記連通部の開口部に密接することを特徴とする請求項１に記載の搬送装置。
【請求項３】
前記連通部の開口部に前記捕集部材を押圧する押圧部材を備えることを特徴とする請求項１又は２に記載の搬送装置。
【請求項４】
前記搬送面は、前記シートが接するプラテンに形成されることを特徴とする請求項１から３のいずれかに記載の搬送装置。
【請求項５】
前記搬送面は、前記シートを載置しつつシートと共に移動する搬送ベルトに形成されることを特徴とする請求項１から４のいずれかに記載の搬送装置。
【請求項６】
所定方向に搬送されるシートに対して、記録ヘッドを用いて画像を記録する記録装置であって、
前記シートを搬送するために、請求項１から５のいずれかに記載の搬送装置を備えることを特徴とする記録装置。
【請求項７】
前記記録ヘッドは、インクを吐出可能なインクジェット記録ヘッドであることを特徴とする請求項６に記載の記録装置。
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
ラベルに印刷可能な印刷装置であって、
識別情報と固定画像データを対応付けて記憶し、前記ラベルにおける可変画像データを印刷する位置の位置情報を含むテンプレートとテンプレート名称を対応付けて記憶し、前記識別情報と前記テンプレート名称を対応付けて記憶する記憶部と、
前記固定画像データと前記可変画像データを記憶する印刷バッファと、
制御装置から前記テンプレート名称と前記可変画像データを含むコマンドを受信する通信部と、
前記通信部で受信した前記テンプレート名称に基づき前記テンプレート名称に対応付けられた前記識別情報を前記記憶部から読み出し、前記識別情報に対応付けられた前記固定画像データを前記記憶部から読出して前記印刷バッファに書込み、
前記テンプレート名称に対応付けられた前記テンプレートを前記記憶部から読み出し、前記テンプレートに含まれる前記位置情報に基づき前記通信部で受信した前記可変画像データを前記印刷バッファに書込み、
前記印刷バッファから前記固定画像データと前記可変画像データを読み出して前記ラベルに印刷する制御部と、
を備えることを特徴とする印刷装置。
【請求項２】
前記ラベルは、ラベル用紙上に間隔をあけて配置されたものであり、
１つの前記テンプレート名称には１つの前記識別情報が対応付けられて前記記憶部に記憶されており、
前記コマンドには前記識別情報と前記固定画像データは含まれておらず、
前記制御部は、前記通信部で複数の前記コマンドを受信した場合であって、それぞれに同一の前記テンプレート名称が含まれている場合、各ラベルに同一の前記固定画像データを連続して印刷することを特徴とする請求項１に記載の印刷装置。
【請求項３】
前記テンプレートには、前記固定画像データと前記可変画像データが重ならないように配置する情報が含まれていることを特徴とする請求項１又は請求項２に記載の印刷装置。
【請求項４】
前記テンプレートには、前記可変画像データを印刷するサイズと種類の情報が含まれていることを特徴とする請求項１から請求項３のいずれか１項に記載の印刷装置。
【請求項５】
ラベルに印刷可能な印刷装置と、前記印刷装置に接続可能な制御装置を備える印刷システムであって、
前記制御装置は、
テンプレート名称と可変画像データを含むコマンドを送信する制御装置側通信部を備え、
前記印刷装置は、
固定画像データと識別情報を対応付けて記憶し、前記ラベルにおける前記可変画像データを印刷する位置の位置情報を含むテンプレートと前記テンプレート名称を対応付けて記憶し、前記識別情報と前記テンプレート名称を対応付けて記憶する記憶部と、
前記固定画像データと前記可変画像データを記憶する印刷バッファと、
前記制御装置から前記コマンドを受信する印刷装置側通信部と、
前記印刷装置側通信部で受信した前記テンプレート名称に対応付けられた前記識別情報を前記記憶部から読み出し、前記識別情報に対応付けられた前記固定画像データを前記記憶部から読出して前記印刷バッファに書込み、
前記テンプレート名称に対応付けられた前記テンプレートを前記記憶部から読み出し、前記テンプレートに含まれる前記位置情報に基づき、前記印刷装置側通信部で受信した前記可変画像データを前記印刷バッファに書込み、
前記印刷バッファから前記固定画像データと前記可変画像データを読み出して前記ラベルに印刷する制御部と、
を備えることを特徴とする印刷システム。
【請求項６】
固定画像データと識別情報を対応付けて記憶し、
ラベルにおける可変画像データを印刷する位置情報を有するテンプレートと、テンプレート名称を対応付けて記憶し、
前記識別情報と前記テンプレート名称を対応付けて記憶した記憶部と、
前記固定画像データと前記可変画像データを記憶する印刷バッファを備え、ラベルに印刷可能な印刷装置の制御方法であって、
制御装置から前記テンプレート名称と前記可変画像データとを含むコマンドを受信すると、
受信した前記テンプレート名称に対応付けられた前記識別情報を前記記憶部から読み出し、前記識別情報に対応付けられた前記固定画像データを前記記憶部から読出して前記印刷バッファに書込み、
前記テンプレート名称に対応付けられた前記テンプレートを前記記憶部から読み出し、前記テンプレートに含まれる前記位置情報に基づき受信した前記可変画像データを前記印刷バッファに書込み、
前記印刷バッファから前記固定画像データと前記可変画像データを読み出して前記ラベルに印刷することを特徴とする印刷装置の制御方法。
【請求項７】
固定画像データと識別情報を対応付けて記憶し、
ラベルにおける可変画像データを印刷する位置情報を有するテンプレートと、テンプレート名称を対応付けて記憶し、
前記識別情報と前記テンプレート名称を対応付けて記憶した記憶部と、
前記固定画像データと前記可変画像データを記憶する印刷バッファを備え、ラベルに印刷可能な印刷装置の各部を制御する制御部により実行されるプログラムであって、
前記制御部を、
制御装置から前記テンプレート名称と前記可変画像データとを含むコマンドを受信すると、
受信した前記テンプレート名称に対応付けられた前記識別情報を前記記憶部から読み出し、前記識別情報に対応付けられた前記固定画像データを前記記憶部から読出して前記印刷バッファに書込み、
前記テンプレート名称に対応付けられた前記テンプレートを前記記憶部から読み出し、前記テンプレートに含まれる前記位置情報に基づき受信した前記可変画像データを前記印刷バッファに書込み、
前記印刷バッファから前記固定画像データと前記可変画像データを読み出して前記ラベルに印刷するように実行させることを特徴とするプログラム。
【手続補正２】
【補正対象書類名】明細書
【補正対象項目名】発明の名称
【補正方法】変更
【補正の内容】
【発明の名称】印刷装置、印刷システム、印刷装置の制御方法、および、プログラム
【手続補正３】
【補正対象書類名】明細書
【補正対象項目名】０００１
【補正方法】変更
【補正の内容】
【０００１】
本発明は、ラベル画像を連続して印刷可能な印刷装置、当該印刷装置と当該印刷装置に接続可能な制御装置を備える印刷システム、当該印刷装置の制御方法、および、当該印刷装置の制御に係るプログラムに関する。